(57)【特許請求の範囲】
【請求項１】
電動送風機を内装する本体部と、前記本体部に設けられる集塵室に対して着脱可能に配されるとともに気流の流入口を周面に設けた集塵容器と、前記本体部に配して前記流入口に連結される気流の吸気経路と、下面に第１吸込口を開口して前記本体部の下方に回動可能に支持される吸込口体と、先端に第２吸込口を開口して前記本体部に対して着脱可能な吸込パイプとを備え、前記吸気経路が上下方向に延びて下端でＬ字状に屈曲する屈曲部を有するとともに、前記吸気経路が前記流入口に対して下方に延びて前記吸込口体に連結される下方通路と前記流入口に対して上方に延びて前記吸込パイプに連結される上方通路とを有して前記上方通路と前記下方通路とが合流して前記流入口に気流が導かれ、前記集塵室の内壁面に設けた開口部を介して前記上方通路に設けられた前記屈曲部を着脱可能にし、前記屈曲部を含んで前記吸気経路に対して着脱される部分の下流端を前記上方通路と前記下方通路との合流位置よりも上流に配したことを特徴とする電気掃除機。
【請求項２】
前記集塵容器が立設される前記本体部の前記集塵室に対して水平方向に着脱され、前記集塵室の背壁に沿って前記上方通路が設けられることを特徴とする請求項１に記載の電気掃除機。
【請求項３】
電動送風機を内装する本体部と、前記本体部に設けられる集塵室に対して着脱可能に配されるとともに気流の流入口を周面に設けた集塵容器と、前記本体部に配して前記集塵室の内壁面に開口する第１開口部を介して前記流入口に連結される気流の吸気経路とを備え、前記吸気経路が上下方向に延びて下端でＬ字状に屈曲する屈曲部を有するとともに、前記屈曲部が前記吸気経路に対して第１開口部よりも上流側で接離可能に形成され、前記集塵室の内壁面に第１開口部に隣接して設けた第２開口部を介して前記屈曲部を着脱可能にしたことを特徴とする電気掃除機。
【請求項４】
前記集塵容器が上面を開口するとともに、前記集塵容器と前記屈曲部とを一体に形成したことを特徴とする請求項１〜請求項３のいずれかに記載の電気掃除機。
【発明の詳細な説明】
【技術分野】
【０００１】
本発明は、着脱可能な集塵容器を備えた電気掃除機に関する。
【背景技術】
【０００２】
従来の電気掃除機は特許文献１に開示されている。この電気掃除機は電動送風機を内装する本体部を備え、本体部の下方には吸込口体が本体部に対して回動可能に連結される。吸込口体は第１吸込口を下面に開口して床面に摺動する。
【０００３】
本体部の上部には上方に延びる吸込パイプが着脱可能に配される。吸込パイプは使用者が把持する把持部を有して先端に第２吸込口を開口する。本体部に凹設した上下に延びるパイプホルダー内に吸込パイプが第２吸込口を下方に向けて収納される。この時、吸込パイプの外周面とパイプホルダーの内周面との間が密閉され、第２吸込口からの吸気が防止される。
【０００４】
本体部の下部には着脱可能な集塵容器が電動送風機の上流側に配される。集塵容器は断面円形の有底筒状に形成され、上面の開口面にはフィルタが着脱可能に配される。集塵容器の周面には周接線方向に気流を流入させる流入口が設けられる。これにより、集塵容器内に旋回気流が形成され、気流に含まれる塵埃が遠心力によって分離される。
【０００５】
集塵容器の流入口には吸込気流が流通する吸込経路が連結される。吸込経路は流入口に対して下方に延びて吸込口体に連結される下方通路と、流入口に対して上方に延びて吸込パイプに連結される上方通路とを有している。上方通路には上下方向に延びて下端で屈曲したＬ字状の屈曲部が着脱可能に設けられる。屈曲部を介して上方通路が下方通路に合流する。本体部の外装を形成するケーシングには屈曲部に対向して開口部が設けられ、開口部は着脱可能な蓋部により塞がれる。蓋部を取り外すことによって開口部を介して屈曲部を着脱することができる。
【０００６】
上記構成の電気掃除機において、吸込パイプの装着状態で使用者により把持部が把持され、電動送風機が駆動される。これにより、吸込口体が吸込口体に対して傾斜した本体部とともに床面上を前後方向に移動され、床面の掃除が行われる。塵埃を含む気流は第１吸込口を介して吸込経路の下方通路を流通し、流入口を介して集塵容器に流入する。流入口から集塵容器に流入する気流は旋回し、遠心力によって分離される塵埃が集塵容器内に堆積する。塵埃を除去された気流は電動送風機を通過して本体部から排気される。
【０００７】
本体部を立設して把持部を把持して吸込パイプが取り外されると、室内の天井面等の掃除が行われる。この時、下方通路が回動する本体部の立設によって塞がれるようになっている。塵埃を含む気流は第２吸込口を介して吸込パイプ及び上方通路を流通し、流入口を介して集塵容器に流入する。これにより、塵埃が集塵容器内に堆積し、塵埃を除去された気流が本体部から排気される。
【０００８】
集塵容器内に堆積した塵埃は集塵容器を本体部から取り外して廃棄される。また、上方通路の屈曲部は下端でＬ字状に屈曲するため内面底部に塵埃が残留して目詰まりする虞がある。このため、蓋部及び屈曲部を取り外して屈曲部に堆積する塵埃を廃棄することができる。
【先行技術文献】
【特許文献】
【０００９】
【特許文献１】特開２００８−１２５８７９号公報（第４頁〜第８頁、第１図）
【発明の概要】
【発明が解決しようとする課題】
【００１０】
しかしながら、上記従来の電気掃除機によると、本体部の外面に蓋部が着脱可能に設けられるため、蓋部が脱落して紛失する場合がある。これにより、開口部を介して本体部内に異物が侵入し、電気掃除機の故障の原因となる問題があった。また、蓋部と開口部との境界線が本体部の外面に形成されるため美観を損ねる問題や蓋部の脱落によって開口部から屈曲部が露出して美観を損ねる問題もあった。
【００１１】
本発明は、故障を防止するとともに美観を向上できる電気掃除機を提供することを目的とする。
【課題を解決するための手段】
【００１２】
上記目的を達成するために本発明は、電動送風機を内装する本体部と、前記本体部に設けられる集塵室に対して着脱可能に配されるとともに気流の流入口を周面に設けた集塵容器と、前記本体部に配して前記流入口に連結される気流の吸気経路とを備え、前記吸気経路が上下方向に延びて下端でＬ字状に屈曲する屈曲部を有するとともに、前記集塵室の内壁面に設けた開口部を介して前記屈曲部を着脱可能にしたことを特徴としている。
【００１３】
この構成によると、電動送風機が駆動されると塵埃を含む気流が吸気経路を流通し、屈曲部及び流入口を介して集塵容器に流入する。集塵容器に流入した気流は塵埃が分離されて本体部から排気される。集塵容器に堆積した塵埃は集塵容器を集塵室から取り外して廃棄される。この時、屈曲部が集塵室の内壁面に設けた開口部を介して取り外され、Ｌ字状に屈曲する屈曲部の内面底部に残留する塵埃が廃棄される。
【００１４】
また本発明は、上記構成の電気掃除機において、前記集塵容器が上面を開口するとともに、前記集塵容器と前記屈曲部とを一体に形成したことを特徴としている。この構成によると、集塵室から集塵容器及び屈曲部が一体に取り外され、集塵容器の上面及び屈曲部の上面から塵埃が廃棄される。
【００１５】
また本発明は、上記構成の電気掃除機において、下面に第１吸込口を開口して前記本体部の下方に回動可能に支持される吸込口体と、先端に第２吸込口を開口して前記本体部に対して着脱可能な吸込パイプとを備え、前記吸気経路が前記流入口に対して下方に延びて前記吸込口体に連結される下方通路と前記流入口に対して上方に延びて前記吸込パイプに連結される上方通路とを有して前記上方通路と前記下方通路とが合流して前記流入口に気流が導かれるとともに、前記屈曲部が前記上方通路に設けられることを特徴としている。
【００１６】
この構成によると、本体部と一体に吸込口体が床面上を移動し、第１吸込口から床面の塵埃を含む気流が吸込経路の下方通路に流入する。下方通路を流通する気流は流入口を介して集塵容器に流入し、塵埃を分離されて排気される。吸込パイプが本体部から取り外されると第２吸込口から天井面等の塵埃を含む気流が吸込経路の上方通路に流入する。上方通路を流通する気流は屈曲部及び流入口を介して集塵容器に流入し、塵埃を分離されて排気される。
【００１７】
また本発明は、上記構成の電気掃除機において、前記屈曲部を含んで前記吸気経路に対して着脱される部分の下流端を前記上方通路と前記下方通路との合流位置よりも上流に配したことを特徴としている。この構成によると、屈曲部の下流側の端面と流入口との間の吸気経路が本体部に残存した状態で屈曲部が取り外される。
【００１８】
また本発明は、上記構成の電気掃除機において、前記集塵容器が立設される前記本体部の前記集塵室に対して水平方向に着脱され、前記集塵室の背壁に沿って前記上方通路が設けられることを特徴としている。この構成によると、集塵室の背壁に設けた開口部を介してＬ字状の屈曲部が前方に着脱される。
【発明の効果】
【００１９】
本発明によると、吸気経路が上下方向に延びて下端でＬ字状に屈曲する屈曲部を有し、集塵容器を着脱する集塵室の内壁面に設けた開口部を介して屈曲部を着脱可能にしたので、集塵容器によって開口部が塞がれる。これにより、本体部内への異物の侵入による故障が防止される。また、本体部の外面に屈曲部を着脱する開口部が形成されないため、電気掃除機の美観を向上することができる。
【図面の簡単な説明】
【００２０】
【図１】本発明の第１実施形態の電気掃除機を示す側面図
【図２】本発明の第１実施形態の電気掃除機を示す上面図
【図３】本発明の第１実施形態の電気掃除機を示す側面断面図
【図４】図１のＡ−Ａ断面図
【図５】本発明の第１実施形態の電気掃除機の集塵容器を脱着した状態を示す側面図
【図６】本発明の第１実施形態の電気掃除機の集塵容器を示す斜視図
【図７】本発明の第１実施形態の電気掃除機のカバーを示す斜視図
【図８】本発明の第１実施形態の電気掃除機のカバーを示す斜視図
【図９】本発明の第１実施形態の電気掃除機の屈曲部を示す斜視図
【図１０】本発明の第２実施形態の電気掃除機の集塵容器を示す斜視図
【発明を実施するための形態】
【００２１】
以下に本発明の実施形態を図面を参照して説明する。図１、図２は第１実施形態の電気掃除機の側面図及び上面図を示している。電気掃除機１は電動送風機１０（図３参照）を内装する本体部３の下方に吸込口体２を回動可能に配した縦型に構成される。吸込口体２は床面に対峙する吸込口７（図３参照）を下面に開口し、後部に配される車輪５の転動によって床面上を移動する。
【００２２】
本体部３の前部には集塵室８が凹設され、集塵室８には着脱可能な集塵部９が配される。本体部３の上部の両側面には把手部１９が凹設され、把手部１９に手指を掛けて電気掃除機１を持ち上げることができる。
【００２３】
本体部３の上面には鉛直上方に延びる棒状のハンドル４０が設けられる。ハンドル４０は本体部３に固定される外パイプ４２と外パイプ４２に内嵌される内パイプ４３とを有している。これにより、内パイプ４３を上下方向に出し入れしてハンドル４０が伸張可能になっている。外パイプ４２の内面には伸縮したハンドル４０の内パイプ４３をロックするロック装置４４（図３参照）が設けられる。
【００２４】
内パイプ４３の上端には偏平なリング形状のグリップ４１が傾斜して設けられる。グリップ４１を把持して電気掃除機１を移動させることができる。グリップ４１の前面には掃除運転を指示する操作スイッチ４６が設けられ、グリップ４１を把持した状態で操作スイッチ４６を操作することができる。グリップ４１の内周面にはロック装置４４のロック状態を解除するスライド式の解除ボタン４５が設けられる。
【００２５】
ハンドル４０の後方には蛇腹式の伸縮可能な吸込ホース４７が配される。吸込ホース４７の一端は本体部３の上面に設けられた接続部４８（図３参照）に接続される。吸込ホース４７の他端には吸込パイプ４９が取り付けられている。吸込パイプ４９はハンドル４０と同様に外パイプと内パイプ（いずれも不図示）とを有して伸縮可能に形成され、吸込パイプ４９の先端には吸込口５０（図３参照）が開口する。
【００２６】
本体部３の後部には上面を開口して下方に延びるパイプホルダー５１が設けられ、パイプホルダー５１内に吸込パイプ４９が収納される。吸込パイプ４９は収納状態でパイプホルダー５１に設けたガスケット（不図示）が密着し、閉塞状態となる。詳細を後述するように、電気掃除機１は吸込口体２の吸込口７（第１吸込口）と吸込パイプ４９の吸込口５０（第２吸込口）とから吸気する２ウェイ方式になっている。
【００２７】
図３は電気掃除機１の側面断面図を示している。また、図４は図１のＡ−Ａ断面図を示している。本体部３には集塵室８（図１参照）の上方に電動送風機１０が配される。電動送風機１０の吸気口（不図示）は下方に面して集塵部９に連通し、電動送風機１０の駆動によって吸込気流が発生する。本体部３の背面及び側面には電動送風機１０に連通する排気口１４及び排気口１５（図２参照）が設けられる。
【００２８】
図５は集塵室８から集塵部９を取り外した状態の電気掃除機１の側面図を示しており、図６は集塵室８から取り外された集塵部９の斜視図を示している。集塵部９は上面を開口するカップ状の集塵容器２０の上方にフィルタユニット２１が配される。フィルタユニット２１の上面の開口部３６を介して集塵部９が電動送風機１０に連通する。フィルタユニット２１の前面には把手部２２が設けられ、把手部２２に手指を掛けて集塵部９が立設した本体部３に対して水平方向に取り外される。集塵容器２０とフィルタユニット２１とはラッチ３７の操作によって分離することができ、集塵容器２０に集塵された塵埃を上面から廃棄することができる。
【００２９】
図３、図４において、フィルタユニット２１には集塵容器２０の開口面を覆うＨＥＰＡフィルタ等のフィルタ３５が設けられる。集塵容器２０の周面は略円筒状に形成され、周接線方向に気流を流入させる流入口３２が設けられる。集塵容器２０内には同軸に内筒２４が配される。内筒２４の周面には気流の流出口２５が開口する。
【００３０】
流入口３２から集塵容器２０内に流入した気流は旋回気流を形成し、気流に含まれる比較的大きな塵埃が遠心力により分離されて集塵容器２０内に堆積する。大きな塵埃を除去された気流は流出口２５から流出して上昇し、フィルタ３５によって細かい塵埃が捕集される。そして、塵埃を除去された気流が開口部３６を介して電動送風機１０に導かれ、排気口１４、１５から排気される。
【００３１】
吸込口体２は後部に配した中空のユニバーサルジョイント４を介して本体部３に回動可能に連結される。吸込口体２内には一端に吸込口７を開口した気流路３０が形成される。本体部３の後部には集塵容器２０の流入口３２に対して下方に延びるダクトによって下方通路２９が設けられる。下方通路２９はユニバーサルジョイント４と一体に形成される。  
【００３２】
下方通路２９は集塵室８の背壁８ａに臨む開口部３１が開口する。集塵室８に装着された集塵容器２０の流入口３２の周縁が開口部３１の周縁に密着して集塵容器２０内に気流が導かれる。従って、下方通路２９及び気流路３０によって吸込口７から集塵容器２０に気流を吸い込む第１吸込経路２６が形成される。
【００３３】
接続部４８には集塵容器２０の流入口３２に対して上方に延びるダクトにより形成された上方通路５０が連結される。上方通路５０は集塵室８の背壁８ａに沿って設けられ、下端でＬ字状に屈曲して下方通路２９に連結されている。これにより、上方通路５０と下方通路２９とが合流する。吸込パイプ４９、吸込ホース４７、上方通路５２及び合流後の下方通路２９によって吸込口５０から集塵容器２０に気流を吸い込む第２吸込経路２７が形成される。
【００３４】
上方通路５０の下端には図７に示すようにＬ字状の屈曲部５４が着脱可能に設けられる。屈曲部５４は上方に面して開口する端面５４ａ及び水平方向に面して開口する端面５４ｂで上方通路５２に対して分割される。
【００３５】
集塵室８の背壁８ａには屈曲部５４に対向して開口部２８が開口する。開口部２８には着脱可能な蓋部５３が設けられる。図８、図９は蓋部５３を異なる方向から見た斜視図を示している。蓋部５３には装着状態を保持するロックキー５３ａが設けられる。集塵部９及び蓋部５３が取り外されると、開口部２８を介して屈曲部５４を取り外すことができる。
【００３６】
屈曲部５４は上方通路５２の下端で屈曲するため上方から下方に向かって流通する塵埃が屈曲部５４の内面底部に堆積する。このため、蓋部５３及び屈曲部５４を取り外し、屈曲部５４内に堆積した塵埃が廃棄される。
【００３７】
この時、第２吸気経路２７内で分割される屈曲部５４の下流側の端面５４ｂが上方通路５２と下方通路２９との合流位置よりも上流に配される。このため、屈曲部５４の下流端と流入口３１との間の第２吸気経路２７が本体部２に残存した状態で屈曲部５４が取り外される。これにより、第２吸気経路２７内の着脱部分である屈曲部５４を小型化して容易に着脱することができる。
【００３８】
尚、Ｌ字状の屈曲部５４を含んで第２吸気経路２７に対して着脱される部分を上方通路５２と下方通路２９との合流位置よりも下流まで延伸し、着脱部分の端面により開口部３１を形成してもよい。これにより、屈曲部５４を含む着脱部分が大きくなるが、屈曲部５４内の塵埃を廃棄することができる。
【００３９】
また、集塵部９が立設される本体部３の集塵室８に対して水平方向に着脱され、集塵室８の背壁８ａに沿って上方通路５２が設けられる。このため、Ｌ字状の屈曲部５４を水平方向に出し入れして簡単に第２吸気経路２７内に接離することができる。尚、屈曲部５４の端面５４ａは後方が下がる傾斜面に形成され、端面５４ｂは挿入方向に対して後方が下方通路２９から離れる方向に傾斜するように配置される。これにより、屈曲部５４をより簡単に第２吸気経路２７内に接離することができる。
【００４０】
上記構成の電気掃除機１において、吸込パイプ４９の収納状態で使用者によりグリップ４１が把持され、電動送風機１０が駆動される。この時、グリップ４１の把持により本体部３が吸込口体２に対して傾倒し、吸込口体２が床面上を移動して吸込口７から塵埃が吸い込まれる。塵埃を含む気流は第１吸込経路２６を流通し、流入口３２から集塵容器２０に流入して塵埃が除去される。これにより、床面の掃除が行われる。
【００４１】
本体部３の立設状態で吸込パイプ４９をパイプホルダー５１から引き出して電動送風機１０が駆動されると、天井壁や机上等の掃除が行われる。この時、本体部３が立設されるとユニバーサルジョイント４の回動により第１吸込経路２６が塞がれるようになっている。吸込パイプ４９の操作によって天井壁や机上等の塵埃が吸込口５０から吸い込まれる。塵埃を含む気流は第２吸込経路２７を流通し、流入口３２から集塵容器２０に流入して塵埃が除去される。
【００４２】
集塵部９が集塵室８から取り外して集塵容器２０がフィルタユニット２１から分離されると、集塵容器２０内の塵埃が上面から廃棄される。また、蓋部５３及び屈曲部５４を取り外し、屈曲部５４内に堆積した塵埃が廃棄される。
【００４３】
蓋部５３は集塵室８の内壁面である背壁８ａに設けた開口部２８に配され、屈曲部５４は開口部２８を介して着脱される。電気掃除機１の通常使用時には集塵室８には集塵部９が配されるため、蓋部５３の脱落が防止される。また、蓋部５３を脱落により紛失しても、開口部２８は集塵容器２０により塞がれる。このため、開口部２８から本体部３内に異物が侵入することによる故障を防止することができる。尚、開口部２８は集塵容器２０により塞がれるため蓋部５３を省いてもよい。
【００４４】
本実施形態によると、第２吸気経路２７（吸気経路）の上流通路５２が上下方向に延びて下端でＬ字状に屈曲する屈曲部５４を有し、集塵容器２０を着脱する集塵室９の内壁面に設けた開口部２８を介して屈曲部５４を着脱可能にしたので、集塵容器２０によって開口部２８が塞がれる。これにより、本体部３内への異物の侵入による故障が防止される。また、従来例のように本体部の外面に屈曲部５４を着脱する開口部が形成されないため、電気掃除機１の美観を向上することができる。
【００４５】
また、第２吸気経路２７から着脱される屈曲部５４の下流側の端面５４ｂが上方通路５２と下方通路２９との合流位置よりも上流に配されるので、屈曲部５４を小型化して容易に着脱することができる。
【００４６】
また、集塵部９が立設される本体部３の集塵室８に対して水平方向に着脱され、集塵室８の背壁８ａに沿って上方通路５２が設けられるので、Ｌ字状の屈曲部５４を水平方向に出し入れして簡単に第２吸気経路２７内に接離することができる。
【００４７】
次に、図１０は第２実施形態の電気掃除機１の集塵部９を示す斜視図である。説明の便宜上、前述の図１〜図９に示す第１実施形態と同様の部分には同一の符号を付している。本実施形態は蓋部５３（図４参照）が省かれ、屈曲部５４が集塵容器２０と一体に形成されている。その他の部分は第１実施形態と同様である。
【００４８】
集塵部９が集塵室８から取り外されると、背壁８ａの開口部２８を介して屈曲部５４が集塵容器２０と一体に取り外される。これにより、第１実施形態と同様の効果を得ることができる。
【００４９】
また、集塵容器２０が上面を開口して屈曲部５４の端面５４ａが上方に面する。このため、フィルタユニット２１を取り外して集塵容器２０内及び屈曲部５４内の塵埃を同時に容易に廃棄することができる。
【００５０】
第１、第２実施形態において、本体部３の下方に吸込口体２が支持される縦型の電気掃除機１について説明しているが、本体部と吸込口体とが可撓性の接続ホースを介して接続されるキャニスター型の電気掃除機であってもよい。
【産業上の利用可能性】
【００５１】
本発明によると、着脱可能な集塵容器を備えた電気掃除機に利用することができる。
【符号の説明】
【００５２】
１    電気掃除機
２    吸込口体
３    本体部
７、５０  吸込口
８    集塵室
９    集塵部
１０    電動送風機
２０    集塵容器
２１    フィルタユニット
２４    内筒
２５    流出口
２６    第１吸込経路
２７    第２吸込経路
２８    開口部
２９    下方通路
３２    流入口
３５    フィルタ
４０    ハンドル
４７    吸込ホース
４９    吸込パイプ
５１    パイプホルダー
５２    上方通路
５３    蓋部
５４    屈曲部
【図１】
0005809038.tif 000002
【図２】
0005809038.tif 000003
【図３】
0005809038.tif 000004
【図４】
0005809038.tif 000005
【図５】
0005809038.tif 000006
【図６】
0005809038.tif 000007
【図７】
0005809038.tif 000008
【図８】
0005809038.tif 000009
【図９】
0005809038.tif 000010
【図１０】
0005809038.tif 000011